(57)【特許請求の範囲】
【請求項１】
複数のセッション制御サーバ及び／又は複数の交換機でそれぞれ保持している複数の所データを一括して記憶管理する記憶手段と、
前記所データが更新される場合には、前記記憶手段の所データを更新する更新手段と、
前記所データを更新する際に投入された所データに基づくセッション制御サーバ間及び／又は交換機間の論理構成を、事前登録されたセッション制御サーバ間及び／又は交換機間の物理構成と照合する照合手段と、
を有することを特徴とする所データ一括管理装置。
【請求項２】
前記更新する際に投入された所データを設定した所データを用いて所定の試験パターンを生成し試験するシミュレート手段を更に有することを特徴とする請求項１記載の所データ一括管理装置。
【請求項３】
前記更新手段は、
前記照合結果で両構成が等しい場合、かつ前記試験結果で所データの設定が正しい場合に、前記投入された所データで前記記憶手段の所データを更新することを特徴とする請求項２記載の所データ一括管理装置。
【請求項４】
更新後の所データを前記複数のセッション制御サーバ及び／又前記複数の交換機に配信する配信手段を更に有し、
前記複数のセッション制御サーバ及び／又前記複数の交換機は、
前記所データ一括管理装置から配信された所データで共有メモリの所データを更新することを特徴とする請求項１乃至３のうちいずれかに記載の所データ一括管理装置。
【請求項５】
前記配信手段は、
前記複数のセッション制御サーバ及び／又前記複数の交換機から所データの取得要求を受けた場合に、前記更新後の所データを配信することを特徴とする請求項４記載の所データ一括管理装置。
【請求項６】
所データ一括管理装置と、複数のセッション制御サーバ及び／又複数の交換機とを備えた所データ一括管理システムにおいて、
前記所データ一括管理装置は、
複数のセッション制御サーバ及び／又は複数の交換機でそれぞれ保持している複数の所データを一括して記憶管理する記憶手段と、
前記所データが更新される場合には、前記記憶手段の所データを更新する更新手段と、
前記所データを更新する際に投入された所データに基づくセッション制御サーバ間及び／又は交換機間の論理構成を、事前登録されたセッション制御サーバ間及び／又は交換機間の物理構成と照合する照合手段と、
更新後の所データを前記複数のセッション制御サーバ及び／又前記複数の交換機に配信する配信手段と、を有し、
前記複数のセッション制御サーバ及び／又前記複数の交換機は、
前記所データ一括管理装置から配信された所データで共有メモリの所データを更新する更新手段を有することを特徴とする所データ一括管理システム。
【請求項７】
前記所データ一括管理装置は、
前記更新する際に投入された所データを設定した所データを用いて所定の試験パターンを生成し試験するシミュレート手段を更に有し、
前記更新手段は、
前記照合結果で両構成が等しい場合、かつ前記試験結果で所データの設定が正しい場合に、前記投入された所データで前記記憶手段の所データを更新することを特徴とする請求項６記載の所データ一括管理システム。
【発明の詳細な説明】
【技術分野】
【０００１】
本発明は、セッション制御サーバで通信サービスを提供する際に必要な所データを管理する技術に関する。
【背景技術】
【０００２】
従来の電話網では、通信サービスを提供するために必要なトランスレータやルーチングテーブル等といった交換機内の情報（以下、所データ）を、当該サービスを提供している各交換機がそれぞれ保持している。
【０００３】
また、現在では、ＳＩＰ等のＩＰ通信を主体としたＩＰ電話網の構築も盛んであり、そのＩＰ電話網にて呼処理を行うセッション制御サーバ類についても同様に、その所データを各セッション制御サーバがそれぞれ保持している。
【先行技術文献】
【特許文献】
【０００４】
【特許文献１】特開平６−２５３００７号公報
【発明の概要】
【発明が解決しようとする課題】
【０００５】
前述のような背景技術に対し、複数の交換機で保持する所データをオペレーションシステムで管理する方法が特許文献１に開示されているが、その所データを変更等する場合、交換機間又はセッション制御サーバ間の連携作業を必要とするため、その変更等に係る作業が煩雑になるという課題がある。
【０００６】
具体的には、例えば、各セッション制御サーバで同じ所データを変更（機能開始ＳＷによる機能の開始／停止切替えを含む）する際に、セッション制御サーバ毎に毎回同じ所データの変更作業を実行する必要がある。
【０００７】
また、あるセッション制御サーバの所データを生成した際、関連する他のセッション制御サーバとの所データ相関に矛盾がないかを検証することが困難である。
【０００８】
更に、セッション制御サーバの収容替えの際に、移行元セッション制御サーバからの所データの抜き取りや、移行先セッション制御サーバへの所データの投入という作業が必要である。
【０００９】
本発明は、上記課題を鑑みてなされたものであり、その課題とするところは、所データの変更時において、セッション制御サーバ間及び／又は交換機間の連携作業を極力効率化して作業量の削減および作業ミスの削減を図ることにある。
【課題を解決するための手段】
【００１０】
請求項１記載の所データ一括管理装置は、複数のセッション制御サーバ及び／又は複数の交換機でそれぞれ保持している複数の所データを一括して記憶管理する記憶手段と、前記所データが更新される場合には、前記記憶手段の所データを更新する更新手段と、前記所データを更新する際に投入された所データに基づくセッション制御サーバ間及び／又は交換機間の論理構成を、事前登録されたセッション制御サーバ間及び／又は交換機間の物理構成と照合する照合手段と、を有することを特徴とする。
【００１１】
本発明によれば、複数のセッション制御サーバ及び／又は複数の交換機でそれぞれ保持している複数の所データを一括して記憶手段に記憶管理するため、各セッション制御サーバ及び／又は各交換機が個々に所データを保持する必要がなくなることから、結果として、セッション制御サーバ間及び／又は交換機間の連携作業を極力効率化して作業量の削減および作業ミスの削減を図ることができる。
【００１３】
また、本発明によれば、所データを更新する際に投入されたセッション制御サーバ間及び／又は交換機間の構成を、事前登録された構成と照合するため、保守者によって投入された所データ情報のミスや矛盾を検出でき、所データの投入不具合が減少し、工事作業量、工事ミスの減少を図ることができる。
【００１４】
請求項２記載の所データ一括管理装置は、請求項１記載の所データ一括管理装置において、前記更新する際に投入された所データを設定した所データを用いて所定の試験パターンを生成し試験するシミュレート手段を更に有することを特徴とする。
【００１５】
本発明によれば、更新する際に投入された所データを設定した所データを用いて所定の試験パターンを生成し試験するため、保守者によって投入された所データ情報のミスや矛盾を検出でき、所データの投入不具合が減少し、工事作業量、工事ミスの減少を図ることができる。
【００１６】
請求項３記載の所データ一括管理装置は、請求項２記載の所データ一括管理装置において、前記更新手段は、前記照合結果で両構成が等しい場合、かつ前記試験結果で所データの設定が正しい場合に、前記投入された所データで前記記憶手段の所データを更新することを特徴とする。
【００１７】
請求項４記載の所データ一括管理装置は、請求項１乃至３のうちいずれかに記載の所データ一括管理装置において、更新後の所データを前記複数のセッション制御サーバ及び／又前記複数の交換機に配信する配信手段を更に有し、前記複数のセッション制御サーバ及び／又前記複数の交換機は、前記所データ一括管理装置から配信された所データで共有メモリの所データを更新することを特徴とする。
【００１８】
本発明によれば、更新後の所データを複数のセッション制御サーバ及び／又複数の交換機に配信し、複数のセッション制御サーバ及び／又複数の交換機は、所データ一括管理装置から配信された所データで共有メモリの所データを更新するため、加入者電話端末からの呼のセッション要求があった場合に、所データ一括管理システムに呼毎にアクセスする必要性を防止できる。
【００１９】
請求項５記載の所データ一括管理装置は、請求項４記載の所データ一括管理装置において、前記配信手段は、前記複数のセッション制御サーバ及び／又前記複数の交換機から所データの取得要求を受けた場合に、前記更新後の所データを配信することを特徴とする。
【００２０】
請求項６記載の所データ一括管理システムは、所データ一括管理装置と、複数のセッション制御サーバ及び／又複数の交換機とを備えた所データ一括管理システムにおいて、前記所データ一括管理装置は、複数のセッション制御サーバ及び／又は複数の交換機でそれぞれ保持している複数の所データを一括して記憶管理する記憶手段と、前記所データが更新される場合には、前記記憶手段の所データを更新する更新手段と、前記所データを更新する際に投入された所データに基づくセッション制御サーバ間及び／又は交換機間の論理構成を、事前登録されたセッション制御サーバ間及び／又は交換機間の物理構成と照合する照合手段と、更新後の所データを前記複数のセッション制御サーバ及び／又前記複数の交換機に配信する配信手段と、を有し、前記複数のセッション制御サーバ及び／又前記複数の交換機は、前記所データ一括管理装置から配信された所データで共有メモリの所データを更新する更新手段を有することを特徴とする。
【００２１】
請求項７記載の所データ一括管理システムは、請求項６記載の所データ一括管理システムにおいて、前記所データ一括管理装置は、前記更新する際に投入された所データを設定した所データを用いて所定の試験パターンを生成し試験するシミュレート手段を更に有し、前記更新手段は、前記照合結果で両構成が等しい場合、かつ前記試験結果で所データの設定が正しい場合に、前記投入された所データで前記記憶手段の所データを更新することを特徴とする。
【発明の効果】
【００２２】
本発明によれば、所データの変更時において、セッション制御サーバ間及び／又は交換機間の連携作業を極力効率化して作業量の削減および作業ミスの削減を図ることができる。
【図面の簡単な説明】
【００２３】
【図１】従来のセッション制御サーバのシステム構成を示す図である。
【図２】本実施の形態に係る所データ一括管理システムのシステム構成を示す図である。
【図３】所データ一括管理装置の機能ブロック構成を示す図である。
【図４】各セッション制御サーバと所データ一括管理装置との連携を示す図である。
【図５】セッション制御サーバ間の物理構成例を示す図である。
【図６】投入されたセッション制御サーバ間の論理構成例を示す図である。
【図７】投入されるべきセッション制御サーバ間の論理構成例を示す図である。
【図８】加入者電話端末の収容構成例を示す図である。
【図９】従来のセッション制御サーバの収容替え方法を示す図である。
【図１０】本実施の形態に係るセッション制御サーバの収容替え方法を示す図である。
【発明を実施するための形態】
【００２４】
以下、本発明について図面を用いて説明する。本実施の形態では、セッション制御サーバを例に説明するが、交換機であっても同様に適用できる。
【００２５】
電話サービスをはじめ、固定通信と移動通信を融合したサービスや今後開発される新しい情報通信サービスを提供する基盤ネットワークとして、次世代ネットワーク（Next Generation Network：ＮＧＮ）が存在している。
【００２６】
ＮＧＮでのセッション制御サーバの構成として、加入者を収容する加入者収容用セッション制御サーバ（Subscriber Session Control Server：ＳＳＣ）と、中継処理を行う中継処理用セッション制御サーバ（Intermediate Session Control Server：ＩＳＣ）の２種類がある。
【００２７】
図１は、従来のセッション制御サーバのシステム構成を示す図である。従来のシステム構成は、中継処理用セッション制御サーバ１００と、加入者収容用セッション制御サーバ３００とで主に構成され、通信サービスを提供するために必要なトランスレータやルーチングテーブル等といったセッション制御サーバ内の情報（以下、所データ）は、各セッション制御サーバ１００，３００にそれぞれ具備された所ＤＢ１０，３０にそれぞれ格納されている。
【００２８】
一方、本実施の形態に係る所データ一括管理システムのシステム構成を図２に示す。本所データ一括管理システムは、所ＤＢ１０に代えて共有メモリ１０’を具備する中継処理用セッション制御サーバ１００と、同様に所ＤＢ３０に代えて共有メモリ３０’を具備する加入者収容用セッション制御サーバ３００と、それら各セッション制御サーバ１００，３００の所データを一括して記憶管理する所ＤＢ５０を具備する所データ一括管理装置５００とで主に構成される。
【００２９】
なお、各セッション制御サーバ１００，３００と、所データ一括管理装置５００とは、相互通信可能に接続されている。
【００３０】
本実施の形態では、従来、各セッション制御サーバ１００，３００でそれぞれ保持されていた全ての所データを、所データ一括管理装置５００に移管し、一括して保持している。
【００３１】
ここで、各セッション制御サーバ１００，３００でそれぞれ保持していた所データを所データ一括管理装置５００に移管したことから、加入者電話端末（不図示）からの呼を受信した場合、各セッション制御サーバ１００，３００は、呼毎に所データ一括管理装置５００の所ＤＢ５０にアクセスする必要が生じる。
【００３２】
その必要性を解消するため、所データ一括管理装置５００は、各セッション制御サーバ１００，３００で呼処理に必要な所データを、各セッション制御サーバ１００，３００内の共有メモリ１０’，３０’に転送する。
【００３３】
以上より、各セッション制御サーバ１００，３００で保持する所データを所データ一括管理装置５００の所ＤＢ５０に移管して一括管理するので、各セッション制御サーバ１００，３００で個々に所データを保持する必要性を低減できる。
【００３４】
また、所データ一括管理装置５００で管理している所データを各セッション制御サーバ１００，３００内の共有メモリ１０’，３０’に転送するので、所データ一括管理装置５００の所ＤＢ５０に呼毎にアクセスする必要性を低減できる。
【００３５】
次に、所データ一括管理装置５００の機能について具体的に説明する。図３は、所データ一括管理装置の機能ブロック構成を示す図である。この所データ一括管理装置５００は、所ＤＢ５０と、受付処理部５１と、所データ相関チェック機能部５２と、シミュレート機能部５３と、更新処理部５４と、外部接続部５５とで主に構成される。以下、それら各部の機能について詳述する。
【００３６】
所ＤＢ５０は、各セッション制御サーバ１００，３００でそれぞれ保持している複数の所データを一括して記憶管理する機能を有し、試験面および運用面で構成される。受付処理部５１を経由して所データ一括管理装置５００に投入された所データは、まず、試験面に反映される。そして、所データ相関チェック機能部５２やシミュレート機能部５３での試験検証により当該所データに問題がないと判断された場合に、試験面から運用面へとコピーされる。
【００３７】
受付処理部５１は、保守者によって投入された所データを受け付けて、所ＤＢ５０の試験面に記憶させる機能を有している。
【００３８】
所データ相関チェック機能部５２は、投入された所データを所ＤＢ５０の試験面から読み出して、所データ一括管理装置５００に事前登録しておいたセッション制御サーバ群の物理構成と、所データ一括管理装置５００に投入された所データが意味する論理構成とが等しいか否かをチェックする機能を有している。
【００３９】
シミュレート機能部５３は、投入された所データを所ＤＢ５０の試験面から読み出して、投入された所データに関する、ユーザ、ルート、サービス条件（機能開始ＳＷの切り替えによる開始／停止の確認）等の試験パターンを自動抽出（生成）し、シミュレート（試験）する機能を有している。
【００４０】
更新処理部５４は、所データ相関チェック機能部５２やシミュレート機能部５３での試験検証により所データに問題がないと判断された場合に、試験面に一時的に反映されていた所データを運用面にコピー（更新）する機能を有している。
【００４１】
なお、ＤＢＭＳ（Database Management System）等のように、所ＤＢ５０に制御機能が具備されている場合には、この更新処理部５４は所ＤＢ５０の内部で動作することも可能である。
【００４２】
外部接続部５５は、所ＤＢ５０の運用面から所データを読み出して、対応する各セッション制御サーバ１００，３００に転送（配信）する機能を有している。
【００４３】
なお、所ＤＢ５０は、メモリ等の記憶手段により実現できる。また、受付処理部５１と、所データ相関チェック機能部５２と、シミュレート機能部５３と、更新処理部５４と、外部接続部５５とは、ＣＰＵ等の制御手段により実現できる。それら各部の機能処理は、コンピュータプログラムにより実行される。
【００４４】
次に、所データ一括管理装置５００の処理動作の流れについて説明する。図４は、各セッション制御サーバと所データ一括管理装置との連携を示す図である。
【００４５】
まず、あるセッション制御サーバに対して所データの更新等の要求があった場合、保守者が操作する保守装置により、所データ一括管理装置５００に対して所データの更新が要求される（Ｓ１）。
【００４６】
その後、受付処理部５１により、その投入された所データが受け付けられて、所ＤＢ５０の試験面に反映される（Ｓ２）。
【００４７】
次に、その試験面の所データを用いて、投入された所データの内容にミスや矛盾がないかが検証される。具体的には、まず、所データ相関チェック機能部５２により、投入されたセッション制御サーバ間の構成が事前登録された構成と照合されて、それら両構成が等しいか否かがチェックされる（Ｓ３）。
【００４８】
続いて、シミュレート機能部５３により、投入された所データを設定した試験面上の所データを用いて所定の試験パターンが生成され、その試験パターンでシミュレートされて、その設定が正しいか否かがチェックされる（Ｓ４）。
【００４９】
その後、上記Ｓ３及びＳ４での検証結果に問題がないと確認された場合、更新処理部５４により、その確認された所データが試験面から運用面にコピー（更新）される（Ｓ５）。
【００５０】
最後に、外部接続部５５により、更新後の所データが運用面から読み出され、対応するセッション制御サーバの共有メモリに転送（配信）される（Ｓ６）。
【００５１】
また、所データ一括管理装置５００は、セッション制御サーバから所データ取得要求を受け取った場合に、所データを当該セッション制御サーバに配信することも可能である（Ｓ７）。
【００５２】
セッション制御サーバは、Ｓ６及び／又はＳ７の処理後、転送（配信）された更新後の所データで共有メモリの所データを更新する。
【００５３】
なお、Ｓ４の処理は、Ｓ３の処理以前に行うようにしてもよい。また、Ｓ３の処理とＳ４の処理とのうちいずれか一方のみを行うようにしてもよい。
【００５４】
すなわち、所データ相関チェック機能部５２やシミュレート機能部５３の各検証手段で保守者が投入する所データを確認するので、保守者の投入情報のミスや矛盾を検出でき、所データの投入不具合が減少し、工事作業量、工事ミスの減少を図ることが可能となる。
【００５５】
次に、所データ相関チェック機能部５２での検証動作例について詳述する。図５は、セッション制御サーバ間の物理構成例を示す図である。
【００５６】
第１の加入者収容用セッション制御サーバ３００ａおよび第２の加入者収容用セッション制御サーバ３００ｂは、第１の中継処理用セッション制御サーバ１００ａに接続され、その第１の中継処理用セッション制御サーバ１００ａは、第２の中継処理用セッション制御サーバ１００ｂに接続されている。このような物理的接続構成が、所データ一括管理装置５００に事前登録されている。
【００５７】
このような物理構成に対して、保守者により、所データとして、「第１の加入者収容用セッション制御サーバ３００ａの対向セッション制御サーバを第１の中継処理用セッション制御サーバ１００ａとし、第２の加入者収容用セッション制御サーバ３００ｂの対向セッション制御サーバを第１の中継処理用セッション制御サーバ１００ａとし、第１の中継処理用セッション制御サーバ１００ａの対向セッション制御サーバを第２の中継処理用セッション制御サーバ１００ｂおよび第２の加入者収容用セッション制御サーバ３００ｂとする」（図６参照）という論理構成（論理的接続構成）が投入されるとする。
【００５８】
ここで、所データ相関チェック機能部５２は、上記登録してあるセッション制御サーバ群の物理構成と、上記投入された所データが意味する論理構成が等しいか否かをチェックする。
【００５９】
その結果、所データ相関チェック機能部５２は、第１の加入者収容用セッション制御サーバ３００ａと第１の中継処理用セッション制御サーバ１００ａとの所データ間で、「第１の加入者収容用セッション制御サーバ３００ａの対向セッション制御サーバには、第１の中継処理用セッション制御サーバ１００ａが設定されているが、第１の中継処理用セッション制御サーバ１００ａの対向セッション制御サーバには、第１の加入者収容用セッション制御サーバ３００ａが設定されていない」という矛盾を検出し、投入された所データをＮＧと判定する。
【００６０】
本来であれば、「第１の加入者収容用セッション制御サーバ３００ａの対向セッション制御サーバを第１の中継処理用セッション制御サーバ１００ａとし、第２の加入者収容用セッション制御サーバ３００ｂの対向セッション制御サーバを第１の中継処理用セッション制御サーバ１００ａとし、第１の中継処理用セッション制御サーバ１００ａの対向セッション制御サーバを第２の中継処理用セッション制御サーバ１００ｂと第２の加入者収容用セッション制御サーバ３００ｂと“第１の加入者収容用セッション制御サーバ３００ａと”する」（図７参照）という論理構成の所データが投入されるべきである。
【００６１】
すなわち、保守者が誤って、図５に示されている物理構成に対して、第１の中継処理用セッション制御サーバ１００ａに誤った所データを投入した場合、所データ一括管理装置５００では、「第１の中継処理用セッション制御サーバ１００ａの対向セッション制御サーバに、第１の加入者収容用セッション制御サーバ３００ａが設定されていない」という矛盾を検出し、ＮＧと判定することから、保守者は正しい所データに修正できる。
【００６２】
次に、シミュレート機能部５３での検証動作例について詳述する。ここでは、加入者電話端末間で呼をルーチング可能か否かをシミュレートする動作例を説明する。図８は、加入者電話端末の収容構成例を示す図である。
【００６３】
第３〜第５の加入者収容用セッション制御サーバ３００ｃ〜３００ｅは、第３の中継処理用セッション制御サーバ１００ｃに接続されている。また、第３の加入者収容用セッション制御サーバ３００ｃは、第１の加入者電話端末７００ａを収容し、第４の加入者収容用セッション制御サーバ３００ｄは、第２の加入者電話端末７００ｂおよび第３の加入者電話端末７００ｃを収容し、第５の加入者収容用セッション制御サーバ３００ｅは、第４の加入者電話端末７００ｄを収容している。
【００６４】
以下、第４の加入者収容用セッション制御サーバ３００ｄに収容されている電話番号「ＸＸＸ２−２１１２」を、第５の加入者収容用セッション制御サーバ３００ｅに収容替えする場合を考える。
【００６５】
ここで、電話番号「ＸＸＸ２−２１１２」を第４の加入者収容用セッション制御サーバ３００ｄから第５の加入者収容用セッション制御サーバ３００ｅに変更したにもかかわらず、誤って第３の中継処理用セッション制御サーバ１００ｃの所データの設定内容を変更し忘れた場合、第３の中継処理用セッション制御サーバ１００ｃの所データは変更されていないので、第５の加入者収容用セッション制御サーバ３００ｅに収容替えされた電話番号「ＸＸＸ２−２１１２」へ発呼しても第４の加入者収容用セッション制御サーバ３００ｄにルーチングされ、第５の加入者収容用セッション制御サーバ３００ｅにルーチングされない。
【００６６】
例えば、第３の加入者収容用セッション制御サーバ３００ｃに収容されている電話番号「ＸＸＸ１−１１１１」の第１の加入者電話端末７００ａから、第５の加入者収容用セッション制御サーバ３００ｅに収容替えされた電話番号「ＸＸＸ２−２１１２」への接続はＮＧとなる。
【００６７】
このとき、自動抽出した試験パターン「ＸＸＸ１−１１１１からＸＸＸ２−２１１２への発呼」をシミュレートした際に、そのシュミレーション結果はＮＧとなり、保守者は所データの設定ミスに気付くことができる。
【００６８】
最後に、セッション制御サーバの収容替えについて説明する。図９は、従来のセッション制御サーバの収容替え方法を示す図である。
【００６９】
従来、各セッション制御サーバが個別に所データを保持している場合、移行元のセッション制御サーバＡから移行先のセッション制御サーバＢへ収容替えを実施する際には、移行元のセッション制御サーバＡの所ＤＢから所データを抜き取り、保守装置に所データを移管して、その保守装置から移行先のセッション制御サーバＢへ所データを投入することが必要である。
【００７０】
移行元のセッション制御サーバＡから所データを抜き取り、保守装置に所データ移管する場合や、保守装置から移行先のセッション制御サーバＢに所データを投入する場合に、予期しないデータの欠落や、データ変更やデータ破壊が発生する可能性がある。
【００７１】
一方、本実施の形態に係るセッション制御サーバの収容替え方法を図１０に示す。
【００７２】
移行元のセッション制御サーバＡから移行先のセッション制御サーバＢへ収容替えを実施する場合には、所データ一括管理装置５００の所ＤＢ５０に保持されている「セッション制御サーバＡの所データ」のサーバ名を、「セッション制御サーバＢ」のサーバ名に変更すると共に、移行元のセッション制御サーバＡの所データを移行先のセッション制御サーバＢの共有メモリへ反映させることで実現できる。
【００７３】
すなわち、セッション制御サーバ収容替えの際、所データ一括管理装置５００で保持する所データの投入サーバ名を変更するだけで収容替えができ、各セッション制御サーバからの所データの抜き取りや投入の作業が不要となるので、効率良く作業を実施できる。
【００７４】
以上より、本実施の形態によれば、各セッション制御サーバ１００，３００でそれぞれ保持している複数の所データを一括して所データ一括管理装置５００の所ＤＢ５０に記憶管理し、所データが更新される場合には、その所ＤＢ５０の所データを更新するので、各セッション制御サーバ１００，３００で同一箇所の所データの変更を実施する際に、各セッション制御サーバ１００，３００の所データ変更を一括更新できることから、作業量の削減および作業ミスの削減が見込まれる。
【００７５】
また、本実施の形態によれば、各セッション制御サーバ１００，３００の所データを一括管理しているので、所データ同士の相関に矛盾がないことを所データ一括管理装置５００上で検証可能であり、また検証した所データ自体を各セッション制御サーバ１００，３００の共有メモリへそれぞれ反映することにより信頼性が向上する。
【００７６】
また、本実施の形態によれば、セッション制御サーバの収容替えの際、所データ一括管理装置５００で保持する所データの投入サーバ名を変更するだけで収容替えができ、移行元のセッション制御サーバからの所データの抜き取りや、移行先のセッション制御サーバへの所データの投入の作業が不要となり、効率良く作業を実施できる。
【符号の説明】
【００７７】
１００…中継処理用セッション制御サーバ（ＩＳＣ）
１００ａ〜１００ｃ…第１〜第３の中継処理用セッション制御サーバ
１０…所ＤＢ
１０’…共有メモリ
３００…加入者収容用セッション制御サーバ（ＳＳＣ）
３００ａ〜３００ｅ…第１〜第５の加入者収容用セッション制御サーバ
３０…所ＤＢ
３０’…共有メモリ
５００…所データ一括管理装置
５０…所ＤＢ（記憶手段）
５１…受付処理部
５２…所データ相関チェック機能部（照合手段）
５３…シミュレート機能部（シミュレート手段）
５４…更新処理部（更新手段）
５５…外部接続部（配信手段）
７００ａ〜７００ｄ…第１〜第４の加入者電話端末
Ａ…移行元のセッション制御サーバ
Ｂ…移行先のセッション制御サーバ
Ｓ１〜Ｓ７…処理ステップ
【図１】
0005519582.tif 000002
【図２】
0005519582.tif 000003
【図３】
0005519582.tif 000004
【図４】
0005519582.tif 000005
【図５】
0005519582.tif 000006
【図６】
0005519582.tif 000007
【図７】
0005519582.tif 000008
【図８】
0005519582.tif 000009
【図９】
0005519582.tif 000010
【図１０】
0005519582.tif 000011